(57)【要約】【課題】本発明の目的は、印刷指示してデータ変換された印刷データから、印刷指示した元データを復元することで、一度変換された印刷データを再利用することができる仕組みを提供すること。【解決手段】情報処理装置で、ファイルの種別を示す種別情報（拡張子）を含む印刷データを印刷制御装置へ送信し、復元する印刷データを指定し、指定した印刷データと、当該印刷データを復元するための復元プログラムを印刷制御装置から受信し、前記受信した復元プログラムによって、前記印刷データから抽出されたデータを前記印刷データに対応するファイルの種別のフォーマットに記述して復元ファイルを生成する。【選択図】図１０
2012113372.tif 000002
【特許請求の範囲】
【請求項１】
印刷対象のファイルから、プリンタに対応する印刷データを生成する情報処理装置と前記印刷データを出力する印刷制御装置を含む印刷データ管理システムであって、
前記情報処理装置は、
前記ファイルの種別を示す種別情報を含む印刷データを送信する印刷データ送信手段と、
復元する印刷データを指定する指定手段と、
前記指定手段で指定した印刷データと、当該印刷データを復元するための復元プログラムを前記印刷制御装置から受信する復元情報受信手段と、
前記受信した復元プログラムによって、前記印刷データから抽出されたデータを前記印刷データに対応するファイルの種別のフォーマットに記述して復元ファイルを生成する復元ファイル生成手段とを備え、
前記印刷制御装置は、
前記印刷データを受信する印刷データ受信手段と、
前記受信した印刷データを格納する格納手段と、
前記印刷データに従って、印刷データに含まれる前記ファイルの種別情報を含む印刷データ管理情報を生成する印刷データ管理情報生成手段と、
前記ファイルの種別情報と対応付き、前記印刷データから前記復元ファイルにするためのデータを抽出し、抽出したデータから復元ファイルを生成するための復元プログラムを格納するプログラム格納手段と、
前記情報処理装置で指定された印刷データと、当該印刷データの印刷データ管理情報に含まれるファイルの種別情報から特定された復元プログラムを、前記情報処理装置に送信する復元情報送信手段と
を備えることを特徴とする印刷データ管理システム。
【請求項２】
前記情報処理装置は、
ユーザ情報を入力する入力手段と、
前記ユーザ情報と復元する印刷データの一覧要求を送信する要求送信手段と、
前記印刷制御装置から、前記ユーザ情報に対応する印刷データの一覧を受信する一覧受信手段とを更に備え、
前記印刷制御装置は、
前記印刷データ管理情報は、前記ユーザ情報を含み、
前記ユーザ情報と復元する印刷データの一覧要求を受信する要求受信手段と、
前記受信したユーザ情報に対応する印刷データ管理情報を取得する印刷データ管理情報取得手段と、
前記印刷データ管理情報を一覧として前記情報処理装置に送信する一覧送信手段と
を更に備えることを特徴とする請求項１に記載の印刷データ管理システム。
【請求項３】
前記印刷制御装置は、
前記印刷データが画像に展開された印刷データか否かを判定する印刷データ判定手段を備え
前記印刷データ管理情報生成手段は、前記印刷データ判定手段で画像に展開された印刷データであると判定された場合に、画像展開された印刷データであることを示す情報を含む印刷データ管理情報を生成し、前記印刷データ判定手段で画像に展開された印刷データでないと判定された場合に、画像展開された印刷データでないことを示す情報を含む印刷データ管理情報を生成することを特徴とする請求項１又は２に記載の印刷データ管理システム。
【請求項４】
前記情報処理装置は、
前記画像展開された印刷データであるか否かを示す情報に従って、前記指定手段で指定した印刷データが、画像展開された印刷データか否かを判定する画像判定手段を更に備え、
前記復元ファイル生成手段は、
前記画像判定手段で画像展開された印刷データであると判定された場合、前記画像展開された印刷データから取得できる画像ファイルを用いて、復元ファイルを生成することを特徴とする請求項３に記載の印刷データ管理システム。
【請求項５】
前記情報処理装置は、
前記印刷データを復元するための復元プログラムが当該情報処理装置に記憶されているか否かを判定する記憶判定手段と、
前記記憶判定手段で復元プログラムが記憶されていないと判定された場合に、前記印刷制御装置に前記指定された印刷データを復元可能な復元プログラムの取得要求をする取得要求手段と
を更に備えることを特徴とする請求項１乃至４のいずれか１項に記載の印刷データ管理システム。
【請求項６】
前記印刷制御装置は、プリンタに備えることを特徴とする請求項１乃至５のいずれか１項に記載の印刷データ管理システム。
【請求項７】
印刷対象のファイルから、プリンタに対応する印刷データを生成する情報処理装置と前記印刷データを出力する印刷制御装置を含む印刷データ管理システムの処理方法であって、
前記情報処理装置の
印刷データ送信手段が、前記ファイルの種別を示す種別情報を含む印刷データを送信する印刷データ送信ステップと、
指定手段が、復元する印刷データを指定する指定ステップと、
復元情報受信手段が、前記指定ステップで指定した印刷データと、当該印刷データを復元するための復元プログラムを前記印刷制御装置から受信する復元情報受信ステップと、
復元ファイル生成手段が、前記受信した復元プログラムによって、前記印刷データから抽出されたデータを前記印刷データに対応するファイルの種別のフォーマットに記述して復元ファイルを生成する復元ファイル生成ステップとを有し、
前記印刷制御装置の
印刷データ受信手段が、前記印刷データを受信する印刷データ受信ステップと、
格納手段が、前記受信した印刷データを格納する格納ステップと、
印刷データ管理情報生成手段が、前記印刷データに従って、印刷データに含まれる前記ファイルの種別情報を含む印刷データ管理情報を生成する印刷データ管理情報生成ステップと、
プログラム格納手段が、前記ファイルの種別情報と対応付き、前記印刷データから前記復元ファイルにするためのデータを抽出し、抽出したデータから復元ファイルを生成するための復元プログラムを格納するプログラム格納ステップと、
復元情報送信手段が、前記情報処理装置で指定された印刷データと、当該印刷データの印刷データ管理情報に含まれるファイルの種別情報から特定された復元プログラムを、前記情報処理装置に送信する復元情報送信ステップと
を有することを特徴とする処理方法。
【請求項８】
印刷対象のファイルから、プリンタに対応する印刷データを生成する情報処理装置と前記印刷データを出力する印刷制御装置を含む印刷データ管理システムのプログラムであって、
前記情報処理装置を、
前記ファイルの種別を示す種別情報を含む印刷データを送信する印刷データ送信手段と、
復元する印刷データを指定する指定手段と、
前記指定手段で指定した印刷データと、当該印刷データを復元するための復元プログラムを前記印刷制御装置から受信する復元情報受信手段と、
前記受信した復元プログラムによって、前記印刷データから抽出されたデータを前記印刷データに対応するファイルの種別のフォーマットに記述して復元ファイルを生成する復元ファイル生成手段として機能させ、
前記印刷制御装置を、
前記印刷データを受信する印刷データ受信手段と、
前記受信した印刷データを格納する格納手段と、
前記印刷データに従って、印刷データに含まれる前記ファイルの種別情報を含む印刷データ管理情報を生成する印刷データ管理情報生成手段と、
前記ファイルの種別情報と対応付き、前記印刷データから前記復元ファイルにするためのデータを抽出し、抽出したデータから復元ファイルを生成するための復元プログラムを格納するプログラム格納手段と、
前記情報処理装置で指定された印刷データと、当該印刷データの印刷データ管理情報に含まれるファイルの種別情報から特定された復元プログラムを、前記情報処理装置に送信する復元情報送信手段として
機能させることを特徴とするプログラム。
【発明の詳細な説明】
【技術分野】
【０００１】
本発明は、印刷データからファイルを復元するための印刷データ管理システムとその処理方法及びプログラムに関する。
【背景技術】
【０００２】
従来から、ユーザが印刷装置からサーバ上に一時蓄積された印刷データに対して印刷要求を行うことで当該印刷装置から印刷データの出力を可能にする所謂「プルプリント（蓄積印刷）」の印刷システムが提案されている。これにより、ユーザはアプリケーションからの印刷時に特定の印刷装置への出力ではなく、所望の印刷装置からの印刷データ出力を可能としている。
【０００３】
例えば、特許文献１には従来のプルプリントシステムが開示されており、一時保存した印刷ジョブを印刷装置側から指定することで印刷する仕組みが開示されている。具体的にはクライアントの端末からジョブサーバに印刷データを蓄積する際にジョブサーバで識別番号を作成し、クライアント端末に通知する。そして、後にユーザは出力したいプリンタに接続されているプリントサーバから該識別番号を入力して該ジョブサーバに印刷要求を行うことで該プリントサーバに接続されたプリンタからの出力を可能とするものである。
【先行技術文献】
【特許文献】
【０００４】
【特許文献１】特開２０００−０３５８６９号公報
【発明の概要】
【発明が解決しようとする課題】
【０００５】
しかしながら、特許文献１のような仕組みでは、プリントサーバに蓄積された印刷データを再度印刷させることは可能であるが、印刷データを用いてクライアント端末で印刷要求前の文書データに変換することはできなかった。
【０００６】
特に、印刷元となった文書データが存在しない場合など、従来の印刷の仕組みではプリンタ記述言語に変換されてしまっているため、印刷データから復元することは困難であった。
【０００７】
そこで、本発明の目的は、印刷指示してデータ変換された印刷データから、印刷指示した元データを復元することで、一度変換された印刷データを再利用することができる仕組みを提供する。
【課題を解決するための手段】
【０００８】
印刷対象のファイル（例えば、Ｏｆｆｉｃｅデータ）から、プリンタに対応する印刷データ（スプールデータ）を生成する情報処理装置（クライアント端末）と前記印刷データを出力する印刷制御装置（プリントサーバ）を含む印刷データ管理システムであって、前記情報処理装置は、前記ファイルの種別を示す種別情報（拡張子）を含む印刷データを送信し（印刷データ送信）、復元する印刷データを指定し、指定した印刷データと、当該印刷データを復元するための復元プログラムを前記印刷制御装置から受信し（復元情報受信）、前記受信した復元プログラム（逆変換ドライバ）によって、前記印刷データから抽出されたデータを前記印刷データに対応するファイルの種別のフォーマットに記述して復元ファイルを生成し（図１１）（復元ファイル生成）、前記印刷制御装置は、前記印刷データを受信し（印刷データ受信）、前記受信した印刷データを格納し、前記印刷データに従って、印刷データに含まれる前記ファイルの種別情報を含む印刷データ管理情報を生成し（印刷データ管理情報生成）、前記ファイルの種別情報と対応付き、前記印刷データから前記復元ファイルにするためのデータを抽出し、抽出したデータから復元ファイルを生成するための復元プログラムを格納し（プログラム格納）、前記情報処理装置で指定された印刷データと、当該印刷データの印刷データ管理情報に含まれるファイルの種別情報から特定された復元プログラムを、前記情報処理装置に送信する。
【発明の効果】
【０００９】
本発明によれば、印刷指示してデータ変換された印刷データから、印刷指示した元データを復元することで、一度変換された印刷データを再利用することができる。
【図面の簡単な説明】
【００１０】
【図１】プリントシステムの構成の一例を示すシステム構成図
【図２】クライアント端末，プリントサーバ、複合機に適用可能なハードウェア構成を示すブロック図
【図３】クライアント端末１００とプリントサーバ２００の機能を示す機能ブロック図
【図４】印刷処理を示すフローチャート
【図５Ａ】復元処理を示すフローチャート１
【図５Ｂ】復元処理を示すフローチャート２
【図６】認証テーブルの一例を示すイメージ図
【図７】スプール履歴情報テーブルの一例を示すイメージ図
【図８】アプリケーション変換テーブルを示すイメージ図
【図９】データ復元アプリケーション画面の一例を示すイメージ図
【図１０】印刷処理と復元処理の概略を示すイメージ図
【図１１】ファイルの復元例を示すイメージ図
【発明を実施するための形態】
【００１１】
以下、図面を参照して、本発明の実施形態を詳細に説明する。
【００１２】
図１は、本発明のプリントシステムの構成の一例を示すシステム構成図である。
【００１３】
図１に示すように、本実施形態のプリントシステムは、１又は複数のクライアント端末１００（例えば、ユーザ毎の情報処理装置）、複数の複合機３００，プリントサーバ２００（印刷制御装置）がローカルエリアネットワーク（ＬＡＮ）６００を介して接続され、情報の送受信を行う構成となっている。
【００１４】
クライアント端末１００には、プリンタドライバがインストールされており、ＯＳから受け取ったデータをプリントデータに変換してプリントサーバ２００へ送信する。また、クライアント端末にはデータ復元アプリケーションがインストールされており、プリントサーバに蓄積されているプリントデータからクライアント端末で編集可能なデータに変換する。
【００１５】
プリントサーバ２００は、クライアント端末１００からプリントデータ（スプールデータ）を受信し、蓄積する。また、プリントサーバ２００は複合機３００からの印刷要求に従って、印刷要求のあった複合機へプリントデータ（スプールデータ）を送信する。
【００１６】
複合機３００は、プリントサーバに蓄積されているプリントデータ（スプールデータ）の一覧を表示し、一覧から指定されたプリントデータ（スプールデータ）を印刷させるために、印刷要求をプリントサーバへ出力する。印刷要求の際にはプリントデータ（スプールデータ）のＩＤ等を送信することで該当するプリントデータ（スプールデータ）を特定することができる。
【００１７】
本実施形態では、プリントサーバ２００にスプールデータを記憶する構成としたが、複合機３００にプリントサーバ２００の処理、機能を実行させる構成とすることも可能である。この場合、複合機３００が印刷制御装置と置き換えることができる。
【００１８】
以下、図２を用いて、図１に示したクライアント端末，プリントサーバ、複合機に適用可能なハードウェア構成について説明する。
【００１９】
図２は、図１に示したクライアント端末，プリントサーバ、複合機に適用可能なハードウェア構成を示すブロック図である。
【００２０】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２１】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００２２】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器への表示を制御する。なお、図２では、ＣＲＴ２１０と記載しているが、表示器はＣＲＴだけでなく、液晶ディスプレイ等の他の表示器であってもよい。これらは必要に応じて管理者が使用するものである。
【００２３】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２４】
２０８は通信Ｉ／Ｆコントローラで、ネットワーク（例えば、図１に示したＬＡＮ６００）を介して外部機器と接続・通信するものであり、ネットワークでの通信制御処理を実行する。例えば、ＴＣＰ／ＩＰを用いた通信等が可能である。
【００２５】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２６】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
次に、複合機３００のハードウェア構成について説明する。
【００２７】
複合機３００のハードウェア構成の一例を示すブロック図である。
【００２８】
図３において、３０１６はコントローラユニットで、画像入力デバイスとして機能するスキャナ３０１４や、画像出力デバイスとして機能するプリンタ部３０１２と接続する一方、ＬＡＮ（例えば、図１に示したＬＡＮ６００）や公衆回線（ＷＡＮ）（例えば、ＰＳＴＮまたはＩＳＤＮ等）と接続することで、画像データやデバイス情報の入出力を行う。
【００２９】
コントローラユニット３０１６において、３００１はＣＰＵで、システム全体を制御するプロセッサである。３００２はＲＡＭで、ＣＰＵ３００１が動作するためのシステムワークメモリであり、プログラムを記録するためのプログラムメモリや、画像データを一時記録するための画像メモリでもある。
【００３０】
３００３はＲＯＭで、システムのブートプログラムや各種制御プログラムが格納されている。３００４はハードディスクドライブ（ＨＤＤ）で、システムを制御するための各種プログラム，画像データ等を格納する。
【００３１】
３００７は操作部インタフェース（操作部Ｉ／Ｆ）で、操作部（キーボード）３００８とのインタフェース部である。また、操作部Ｉ／Ｆ３００７は、操作部３００８から入力したキー情報（例えば、スタートボタンの押下）をＣＰＵ３００１に伝える役割をする。
【００３２】
３００５はネットワークインタフェース（Ｎｅｔｗｏｒｋ  Ｉ／Ｆ）で、ネットワーク（ＬＡＮ）６００に接続し、データの入出力を行う。３００６はモデム（ＭＯＤＥＭ）で、公衆回線に接続し、ＦＡＸの送受信等のデータの入出力を行う。
【００３３】
３０１８は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、本実施形態においては認証で必要となる携帯端末のＩＣカード（記憶媒体）の読み取り用のカードリーダ３０１９が外部Ｉ／Ｆ部３０１８に接続されている。そして、ＣＰＵ３００１は、この外部Ｉ／Ｆ３０１８を介してカードリーダ３０１９による携帯端末のＩＣカードからの情報読み取りを制御し、該携帯端末のＩＣカードから読み取られた情報を取得可能である。以上のデバイスがシステムバス３００９上に配置される。
【００３４】
３０２０はイメージバスインタフェース（ＩＭＡＧＥ  ＢＵＳ  Ｉ／Ｆ）であり、システムバス３００９と画像データを高速で転送する画像バス３０１５とを接続し、データ構造を変換するバスブリッジである。
【００３５】
画像バス３０１５は、ＰＣＩバスまたはＩＥＥＥ１３９４で構成される。画像バス３０１５上には以下のデバイスが配置される。
【００３６】
３０１０はラスタイメージプロセッサ（ＲＩＰ）で、例えば、ＰＤＬコード等のベクトルデータをビットマップイメージに展開する。３０１１はプリンタインタフェース（プリンタＩ／Ｆ）で、プリンタ部３０１２とコントローラユニット３０１６を接続し、画像データの同期系／非同期系の変換を行う。また、３０１３はスキャナインタフェース（スキャナＩ／Ｆ）で、スキャナ３０１４とコントローラユニット３０１６を接続し、画像データの同期系／非同期系の変換を行う。
【００３７】
３０１７は画像処理部で、入力画像データに対し補正、加工、編集を行ったり、プリント出力画像データに対して、プリンタの補正、解像度変換等を行う。また、これに加えて、画像処理部３０１７は、画像データの回転や、多値画像データに対してはＪＰＥＧ、２値画像データはＪＢＩＧ、ＭＭＲ、ＭＨ等の圧縮伸張処理を行う。
【００３８】
スキャナ部３０１４は、原稿となる紙上の画像を照明し、ＣＣＤラインセンサで走査することで、ラスタイメージデータとして電気信号に変換する。原稿用紙は原稿フィーダのトレイにセットし、装置使用者が操作部３００８から読み取り起動指示することにより、ＣＰＵ３００１がスキャナ３０１４に指示を与え、フィーダは原稿用紙を１枚ずつフィードし原稿画像の読み取り動作を行う。
【００３９】
プリンタ部３０１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ３００１からの指示によって開始する。なお、プリンタ部３０１２には、異なる用紙サイズまたは異なる用紙向きを選択できるように複数の給紙段を持ち、それに対応した用紙カセットがある。
【００４０】
操作部３００８は、ＬＣＤ表示部を有し、ＬＣＤ上にタッチパネルシートが貼られており、システムの操作画面を表示するとともに、表示してあるキーが押されるとその位置情報を操作部Ｉ／Ｆ３００７を介してＣＰＵ３００１に伝える。また、操作部３００８は、各種操作キーとして、例えば、スタートキー、ストップキー、ＩＤキー、リセットキー等を備える。
【００４１】
尚、表示部はプリンタによって表示性能が異なり、タッチパネルを介して操作をできるプリンタ、単に液晶画面を備え文字列を表示（印刷状態や印刷している文書名の表示）させるだけのプリンタによって本発明は構成されている。
【００４２】
ここで、操作部３００８のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部３００８のストップキーは、稼働中の動作を止める働きをする。また、操作部３００８のＩＤキーは、使用者のユーザＩＤを入力する時に用いる。リセットキーは、操作部からの設定を初期化する時に用いる。
【００４３】
カードリーダ３０１９は、ＣＰＵ３００１からの制御により、携帯端末内に備えられたＩＣカードに記憶されている情報を読み取り、該読み取った情報を外部Ｉ／Ｆ３０１８を介してＣＰＵ３００１へ通知する。
【００４４】
以上のような構成によって、複合機３００は、スキャナ３０１４から読み込んだ画像データをＬＡＮ６００上に送信したり、ＬＡＮ６００から受信した印刷データをプリンタ部３０１２により印刷出力することができる。
【００４５】
また、スキャナ３０１４から読み込んだ画像データをモデム３００６により、公衆回線上にＦＡＸ送信したり、公衆回線からＦＡＸ受信した画像データをプリンタ部３０１２により出力することできる。
【００４６】
次に図３を用いて、本発明の実施形態における基本的な機能について説明する。図３は、クライアント端末１００とプリントサーバ２００の機能ブロック図である。なお、プリントサーバを用いない構成の場合には、プリントサーバ２００の機能を複合機３００に備える。
【００４７】
印刷情報送信部３０１は、クライアント端末１００からプリンタドライバで生成されたスプールデータをプリントサーバ２００に送信する。スプールデータは、印刷情報を保持し、印刷情報には、印刷ユーザ、印刷指示したクライアント端末のＩＰアドレス、印刷指示クライアント端末のＰＣ名、ファイル名（ドキュメント名）、印刷設定、印刷モード（ビットマップ展開されたスプールデータか否かを識別する情報）を含む。
【００４８】
印刷情報受信部３０２は、クライアント端末１００から送信されたスプールデータをプリントサーバ２００で受信する。
【００４９】
スプール履歴作成・記憶部３０３は、受信したスプールデータから印刷情報を取得し、スプール情報（スプール日時、ユーザ名、クライアント端末ＩＰ、クライアントＰＣ名、ファイル名、拡張子（拡張子はファイル名から取得）、印刷カラー、印刷モード）を抽出し、スプール履歴テーブル（図７）に記憶させる。（プリンタサーバには、スプール情報とスプールデータ（実際印刷する情報）を保持する。）
【００５０】
印刷処理実行部３０４は、複合機３００から記憶したスプールデータに対して印刷指示があった場合に、指示のあったスプールデータを複合機３００に送信するためにＬＰＲ印刷を実行する。
【００５１】
出力部３０５は、ＬＰＲ印刷に従って、指示のあった複合機３００に出力する。
【００５２】
認証部３０６は、ユーザの操作によって入力されたユーザ名、パスワードをもとにクライアント端末に管理されている認証テーブル（図６）を検索し、入力されたユーザ名とパスワードが存在するか否かを判定する。
【００５３】
スプール履歴情報要求部３０７は、ユーザ名、クライアント端末１００のＩＰアドレスもしくはクライアント端末１００のＰＣ名をプリントサーバ２００に送信する。
【００５４】
スプール履歴情報取得部３０８は、受信したユーザ名、ＩＰアドレスもしくはＰＣ名をもとにスプール履歴情報テーブルを検索し、関連するスプール情報（スプール管理Ｎｏ、スプール日時、ファイル名、拡張子）を取得する。
【００５５】
スプール履歴情報送信部３０９は、取得したスプール情報をクライアント端末１００に送信する。
【００５６】
スプール履歴情報受信部３１０は、プリンタサーバから送信されたスプール情報を受信する。
【００５７】
スプール履歴情報表示部３１１は、受信したスプール情報をデータ復元アプリケーション画面（図９）に表示する。
【００５８】
スプールデータ要求部３１２は、データ復元アプリケーション画面（図９）に表示されたスプール情報一覧にて選択されたスプール情報のスプールデータをプリントサーバ２００に要求する。
【００５９】
復元アプリケーション判定部３１３は、クライアント端末１００からのスプールデータ要求（スプール管理Ｎｏ）を受けて、該当スプール情報の拡張子からアプリケーション変換テーブル（図８）を検索して、復元時のアプリケーションおよび逆変換ドライバの判定を行う。
【００６０】
スプールデータ送信部３１４は、上記判定結果の復元アプリケーション情報、逆変換ドライバ情報、及びスプールデータをクライアント端末１００に送信する。
【００６１】
スプールデータ受信部３１５は、プリントサーバ２００から送信されたスプールデータを受信する。
【００６２】
復元データ判定部３１６は、受信したスプールデータをもとに印刷カラー（モノクロ／カラー）や印刷モード（ビットマップ展開で印刷されたか）を判定し、確認ダイアログをデータ復元アプリケーション画面（図９）に表示する。
【００６３】
変換ドライバ要求部３１７は、データを復元する際に使用する逆変換ドライバがクライアント端末１００に存在しない場合は、プリントサーバ２００に逆変換ドライバを要求する。
【００６４】
変換ドライバ送信部３１８は、クライアント端末１００から要求された逆変換ドライバを取得してクライアント端末１００に送信する。但し、逆変換ドライバは、プリントサーバ２００に存在していることを前提とする。
【００６５】
変換ドライバ受信部３１９は、プリンタサーバから送信された逆変換ドライバを受信する。
【００６６】
変換処理実行部３２０は、スプールデータをもとに逆変換ドライバを使用してデータを復元する。
【００６７】
復元データ保存部３２１は、復元したデータをユーザ指定の任意のディレクトリに保存する。
【００６８】
次に、本発明の実施形態における詳細な処理について、図４、図５Ａ、図５Ｂを用いて説明する。
図４は、本発明の実施形態における印刷処理フローである。
【００６９】
ステップＳ４０１では、クライアント端末のＣＰＵ２０１がプリンタドライバの印刷指示画面からのユーザ操作に従って、印刷指示を検知する。
【００７０】
ステップＳ４０２では、クライアント端末のＣＰＵ２０１が印刷指示を検知した場合、ステップＳ４０３でクライアント端末のＣＰＵ２０１がプリントサーバ２００にスプールデータを送信する。
【００７１】
ステップＳ４０４では、クライアント端末１００からスプールデータを受信する。
【００７２】
ステップＳ４０５では、プリントサーバ２００のＣＰＵ２０１が受信したスプールデータからスプール情報を抽出し、スプール履歴テーブル（図７）に書き込む。
【００７３】
ステップＳ４０６では、プリントサーバ２００のＣＰＵ２０１が、複合機３００からの指示に従って、スプールデータを複合機に送信する。ステップＳ４０７では、複合機３００でスプールデータを印刷する。
【００７４】
なお、本実施形態では、複合機３００からの指示に従って印刷するように構成したが、複合機からの印刷指示がなくても印刷を実行する構成とすることも可能である。
【００７５】
次に、スプールファイルから元電子ファイルを復元する復元処理フローについて、図５Ａと図５Ｂを用いて説明する。
【００７６】
図５Ａと図５Ｂは、本発明の実施形態における復元処理フローである。
【００７７】
ステップＳ５０１では、クライアント端末１００のＣＰＵ２０１が、ユーザ操作によりデータ復元アプリケーションを起動する。
【００７８】
ステップＳ５０２では、クライアント端末１００のＣＰＵ２０１が、データ復元アプリケーション起動時にユーザ認証ダイアログが立ち上げる。
【００７９】
ステップＳ５０３では、クライアント端末１００のＣＰＵ２０１が、ユーザ操作によりユーザ名とパスワードが入力され、ＯＫボタンを押下された場合、クライアント端末で管理している認証テーブル（図６）を入力されたユーザ名とパスワードで検索する。合致するデータが存在する場合は、ステップＳ５０４にて、クライアント端末１００のＣＰＵ２０１が、データ復元アプリケーション画面を表示する。合致するデータが存在しない場合は、クライアント端末１００のＣＰＵ２０１が、認証エラーのダイアログを表示して終了する。
【００８０】
ステップＳ５０５では、クライアント端末１００のＣＰＵ２０１が、ユーザ操作によるスプール要求ボタンの押下を判別する。押下された場合は、ステップＳ５０６にて、クライアント端末１００のＣＰＵ２０１が、ユーザ名、クライアント端末のＩＰアドレスもしくはクライアント端末のＰＣ名をプリントサーバ２００にスプール情報の要求を発信する。
【００８１】
ステップＳ５０７では、プリントサーバ２００のＣＰＵ２０１が、クライアント端末１００からのスプール情報の要求（ユーザ名、クライアント端末ＩＰアドレス、クライアント端末ＰＣ名）をもとにスプール履歴情報テーブル（図７）を検索して、要求に紐付くスプール情報を取得する。取得したスプール情報をクライアント端末１００に送信する。
【００８２】
ステップＳ５０８では、クライアント端末１００のＣＰＵ２０１が、プリントサーバ２００から送信されたスプール情報（スプール管理Ｎｏ、スプール日時、ファイル名）を受信し、データ復元アプリケーション画面に一覧表示（図１０）する。
【００８３】
ステップＳ５０９では、クライアント端末１００のＣＰＵ２０１が、ユーザ操作により一覧表示されたスプール情報から復元したいスプール情報を選択し復元ボタンが押されたかを判断し、復元ボタンが押下された場合、ステップＳ５１０にて、クライアント端末１００のＣＰＵ２０１が、プリントサーバ２００に選択されたスプール情報の復元情報（復元するアプリケーション、逆変換ドライバ情報及び、スプールデータ）の要求を発信する。プリントサーバ２００への要求には、スプール情報を特定するための情報、例えばスプール管理Ｎｏを含んでいる。
【００８４】
ステップＳ５１１では、プリントサーバ２００のＣＰＵ２０１が、スプール管理Ｎｏに従って、要求されたスプール情報を特定し、スプール情報のファイル拡張子よりアプリケーション変換テーブル（図８）を検索して復元するアプリケーションと逆変換ドライバを決定する。
【００８５】
ステップＳ５１２では、プリントサーバ２００のＣＰＵ２０１が、ステップＳ５１１で決定した復元するアプリケーション、逆変換ドライバ情報、及び、スプール情報に対応するスプールデータを復元情報としてクライアント端末１００に送信する。スプールデータにはスプール情報が含まれている。
【００８６】
ステップＳ５１３では、クライアント端末１００のＣＰＵ２０１が、プリントサーバ２００から送信された復元情報を受信する。
【００８７】
ステップＳ５１４では、クライアント端末１００のＣＰＵ２０１が、スプール情報の印刷カラーが、モノクロかカラーかチェックする。
【００８８】
ステップＳ５１５では、クライアント端末１００のＣＰＵ２０１が、復元データがモノクロ印刷かを判定し、復元データがモノクロ印刷の場合、ステップＳ５１６にて、クライアント端末１００のＣＰＵ２０１が、確認ダイアログを画面に表示し、ユーザに復元データがモノクロ状態になる旨の表示を行う。
【００８９】
ステップＳ５１７では、クライアント端末１００のＣＰＵ２０１が、ユーザ操作によりＯＫボタンが押下されたか否かを判定する。ＯＫボタンが押下された場合は、ステップＳ５１８に進む。キャンセルボタンが押下された場合は処理を終了する。
【００９０】
ステップＳ５１８では、クライアント端末１００のＣＰＵ２０１が、スプール情報の印刷モード（ビットマップ展開で印刷されたか）を判別する。
【００９１】
ステップＳ５１９では、クライアント端末１００のＣＰＵ２０１が、復元データがビットマップ転換されているか否かを判定する。ビットマップ転換されていると判定される場合、ステップＳ５２０にて、クライアント端末１００のＣＰＵ２０１が確認ダイアログを画面に表示し、ユーザに復元データがビットマップを張り付けた状態になる旨を通知する。
【００９２】
ステップＳ５２１では、クライアント端末１００のＣＰＵ２０１が、ユーザ操作によりＯＫボタンが押下されたか否かを判定する。ＯＫボタンが押下されたと判定される場合には、ステップＳ５２２に進む。キャンセルボタンが押下された場合は処理を終了する。
【００９３】
ステップＳ５２２では、クライアント端末１００のＣＰＵ２０１が、プリントサーバ２００から送信された逆変換ドライバ情報（逆変換ドライバ名とバージョンを含む逆変換ドライバの識別情報）をもとにクライアント端末１００に同じ逆変換ドライバが存在するかチェックする。
【００９４】
ステップＳ５２３では、クライアント端末１００のＣＰＵ２０１が、クライアント端末１００に一致する逆変換ドライバが存在するか否かを判定する。逆変換ドライバが存在すると判定した場合は、ステップＳ５２６に進む。クライアント端末１００に一致する逆変換ドライバが存在しないと判定した場合は、ステップＳ５２４にて、クライアント端末１００のＣＰＵ２０１が、プリントサーバ２００に逆変換ドライバの送信要求を発信する。送信要求には、逆変換ドライバ情報（逆変換ドライバ名とバージョンを含む逆変換ドライバの識別情報）が含まれる。
【００９５】
ステップＳ５２５では、プリントサーバ２００のＣＰＵ２０１では、逆変換ドライバ情報（逆変換ドライバ名とバージョンを含む逆変換ドライバの識別情報）に従って、要求された逆変換ドライバを取得し、クライアント端末１００に送信する。クライアント端末１００では、逆変換ドライバを受信して、クライアント端末１００で実行可能な状態にする（例えば、インストールする）。
【００９６】
ステップＳ５２６では、受信した復元対象となるスプールデータ（バイナリ形式）と逆変換ドライバを使用してファイルを復元し、復元したファイルをクライアント端末１００の外部メモリ２１１へ保存する。
【００９７】
ステップＳ５２７の逆変換ドライバを用いたファイルの復元方法について、図１１を参照し説明する。
【００９８】
復元対象となるスプールデータ（バイナリ形式）から、復元対象ファイルのドキュメントを構成するドキュメントのデータ（ドキュメント文字列）、スタイル情報、フォント、サイズなどの構成要素を抽出する。ドキュメント文字列は、バイナリデータから所定の手順（例えば、８２Ａ０８２Ａ２なら、「あ」「い」など）に従って文字変換し、テキストの描画コマンドから抽出された文字列である。また、スタイル情報は、データの位置情報、図形の形、箇条書きのレイアウトなどのレイアウトを構成する情報である。また、フォント、サイズは、例えば、明朝、１０ポイントの情報である。なお、ビットマップ展開されたスプールデータの場合には、スプールデータが画像データであるので、画像データを所定のファイルフォーマット（例えばＪＰＥＧ）に変換して、後述するファイルフォーマットに画像ファイル名を記述する。
【００９９】
この抽出した情報を、例えば、Ｍｉｃｒｏｓｏｆｔ（登録商標）  Ｏｆｆｉｃｅの各アプリケーション固有のドキュメント構成ファイル（※Ｏｆｆｉｃｅ  （２００７）Ｏｐｅｎ  ＸＭＬファイル）の形式に従って反映し、元ファイルを復元する。
【０１００】
図１１はＭｉｃｒｏｓｏｆｔ（登録商標）Ｗｏｒｄの例を示しており、フォント情報、ドキュメント文字列、図の座標を反映した例である。
【０１０１】
この反映したＸＭＬファイルをＷｏｒｄアプリケーションで開くことで、編集可能となる。
【０１０２】
図６は、本発明の実施形態における認証に用いる認証テーブルの一例を示すイメージ図である。認証テーブルには、ユーザ名とパスワードが対応付いて記憶されており、復元するアプリケーションが参照するテーブルとして、外部メモリ２１１に格納されている。なお、認証テーブルはディレクトリサーバ（不図示）内に保持する情報とすることも可能である。
【０１０３】
図７は、本発明の実施形態におけるスプール履歴情報テーブルの一例を示すイメージ図である。
【０１０４】
プリントサーバ２００にて、クライアント端末１００からスプールデータを受信すると、スプールデータからスプール情報を抽出し、スプール履歴テーブルに登録する。復元時には本テーブルより復元する対象データのスプール情報が取得される。スプール履歴テーブルには、スプールデータに対応して、スプール管理Ｎｏ、スプール日時、印刷ユーザ名、印刷指示したクライアント端末のＩＰアドレス、ＰＣ名、ファイル名、ファイル拡張子、印刷カラー情報、印刷モードが記憶されている。
【０１０５】
図８は、本発明の実施形態におけるアプリケーション変換テーブルを示すイメージ図である。
【０１０６】
拡張子と復元時のアプリケーションおよび逆変換ドライバを管理するテーブルである。アプリケーション変換テーブルは、プリントサーバ２００内で管理する。
【０１０７】
図９は、本発明の実施形態におけるデータ復元アプリケーション画面の一例を示すイメージ図である。
【０１０８】
スプール履歴情報をプリントサーバ２００から取得する要求ボタンと復元処理を実行する復元ボタンが画面に配置される。また、プリントサーバ２００から取得したスプール情報を一覧表示し、復元対象を選択できる。
【０１０９】
図１０は、本発明の実施形態における印刷処理と復元処理の概略を示すイメージ図である。
【０１１０】
以上、本実施形態では、すなわち、印刷対象のファイル（例えば、Ｏｆｆｉｃｅデータ）から、プリンタに対応する印刷データ（スプールデータ）を生成する情報処理装置（クライアント端末）と前記印刷データを出力する印刷制御装置（プリントサーバ）を含む印刷データ管理システムであって、前記情報処理装置は、前記ファイルの種別を示す種別情報（拡張子）を含む印刷データを送信し（印刷データ送信）、復元する印刷データを指定し、指定した印刷データと、当該印刷データを復元するための復元プログラムを前記印刷制御装置から受信し（復元情報受信）、前記受信した復元プログラム（逆変換ドライバ）によって、前記印刷データから抽出されたデータを前記印刷データに対応するファイルの種別のフォーマットに記述して復元ファイルを生成し（図１１）（復元ファイル生成）、前記印刷制御装置は、前記印刷データを受信し（印刷データ受信）、前記受信した印刷データを格納し、前記印刷データに従って、印刷データに含まれる前記ファイルの種別情報を含む印刷データ管理情報を生成し（印刷データ管理情報生成）、前記ファイルの種別情報と対応付き、前記印刷データから前記復元ファイルにするためのデータを抽出し、抽出したデータから復元ファイルを生成するための復元プログラムを格納し（プログラム格納）、前記情報処理装置で指定された印刷データと、当該印刷データの印刷データ管理情報に含まれるファイルの種別情報から特定された復元プログラムを、前記情報処理装置に送信する（復元情報送信）。
【０１１１】
また、情報処理装置は、ユーザ情報を入力し、前記ユーザ情報と復元する印刷データの一覧要求を送信し（要求送信）、前記印刷制御装置から、前記ユーザ情報に対応する印刷データの一覧を受信し（一覧受信）、前記印刷制御装置の前記印刷データ管理情報は、前記ユーザ情報を含み、前記ユーザ情報と復元する印刷データの一覧要求を受信し（要求受信）、前記受信したユーザ情報に対応する印刷データ管理情報を取得し（印刷データ管理情報取得）、前記印刷データ管理情報を一覧として前記情報処理装置に送信する（一覧送信）。
【０１１２】
また、前記印刷制御装置は、前記印刷データが画像に展開された印刷データか否かを判定し（印刷データ判定）、前記印刷データ管理情報生成において、前記印刷データ判定手段で画像に展開された印刷データであると判定された場合に、画像展開された印刷データであることを示す情報を含む印刷データ管理情報を生成し、前記印刷データ判定手段で画像に展開された印刷データでないと判定された場合に、画像展開された印刷データでないことを示す情報を含む印刷データ管理情報を生成する。
【０１１３】
また、前記情報処理装置は、前記画像展開された印刷データであるか否かを示す情報に従って、前記指定手段で指定した印刷データが、画像展開された印刷データか否かを判定し（画像判定）、前記復元ファイル生成において、画像展開された印刷データであると判定された場合、前記画像展開された印刷データから取得できる画像ファイルを用いて、復元ファイルを生成する。
【０１１４】
また、前記情報処理装置は、前記印刷データを復元するための復元プログラムが当該情報処理装置に記憶されているか否かを判定し（記憶判定）、復元プログラムが記憶されていないと判定された場合に、前記印刷制御装置に前記指定された印刷データを復元可能な復元プログラムの取得要求をする（取得要求）。さらに、前記印刷制御装置は、プリンタ（複合機）に備える。
【０１１５】
以上、説明したように、本実施形態によれば、印刷指示してデータ変換された印刷データから、印刷指示した元データを復元することで、一度変換された印刷データを再利用することができる。
【０１１６】
なお、上述した各種データの構成及びその内容はこれに限定されるものではなく、用途や目的に応じて、様々な構成や内容で構成されることは言うまでもない。
【０１１７】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１１８】
また、本発明におけるプログラムは、図４、図５Ａ、図５Ｂに示すフローチャートの処理方法をコンピュータが実行可能なプログラムであり、本発明の記憶媒体は図４、図５Ａ、図５Ｂの処理方法をコンピュータが実行可能なプログラムが記憶されている。なお、本発明におけるプログラムは図４、図５Ａ、図５Ｂの各装置の処理方法ごとのプログラムであってもよい。
【０１１９】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１２０】
この場合、記録媒体から読み出されたプログラム自体が本発明の新規な機能を実現することになり、そのプログラムを記憶した記録媒体は本発明を構成することになる。
【０１２１】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１２２】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１２３】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１２４】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１２５】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【０１２６】
なお、上述した各実施形態およびその変形例を組み合わせた構成も全て本発明に含まれるものである。
【符号の説明】
【０１２７】
１００  ・・・・・
２００  ・・・・・
３００  ・・・・・
【図１】
2012113372.tif 000003
【図２】
2012113372.tif 000004
【図３】
2012113372.tif 000005
【図４】
2012113372.tif 000006
【図５Ａ】
2012113372.tif 000007
【図５Ｂ】
2012113372.tif 000008
【図６】
2012113372.tif 000009
【図７】
2012113372.tif 000010
【図８】
2012113372.tif 000011
【図９】
2012113372.tif 000012
【図１０】
2012113372.tif 000013
【図１１】
2012113372.tif 000014